(57)【要約】【課題】  楕円型反射鏡の反射面側にある封止部の導体に電力を供給するリード線に起因する照明光の遮断量をより少なくする。【解決手段】  楕円型反射鏡２０の光軸上に発光ランプ１０が固定されその封止部３の片側の先端が楕円型反射鏡２０の反射面側に位置してなる照明装置１００において、封止部３の片側の導体４に電力を供給するリード線６が、封止部３の片側の先端部から該封止部３に沿ってバルブ部２側へ引き戻され、さらにその引き戻された位置から楕円型反射鏡２０の反射有効領域先端より前方に向かって引き出されて配線されている。【選択図】  図１
2005093174.tif 000002
【特許請求の範囲】
【請求項１】
発光用電極が内蔵されたバルブ部及び該バルブ部の両側に該バルブ部と一体に形成され前記電極につながる導体が配設された封止部を有する発光ランプと、前記発光ランプからの光を一方方向に反射する楕円型反射鏡とを備え、前記楕円型反射鏡の光軸上に前記発光ランプが固定され前記封止部の片側の先端が前記楕円型反射鏡の反射面側に位置してなる照明装置において、
前記封止部の片側の前記導体に電力を供給するリード線が、前記封止部の片側の先端部から該封止部に沿って前記バルブ部側へ引き戻され、さらにその引き戻された位置から前記楕円型反射鏡の反射有効領域先端より前方に向かって引き出されて配線されていることを特徴とする照明装置。
【請求項２】
前記リード線が、前記封止部に沿って前記バルブ部近傍まで引き戻されていることを特徴とする請求項１記載の照明装置。
【請求項３】
前記発光ランプが前記バルブ部から射出された光を再度バルブ部に戻す副反射鏡を前記封止部の片側に取付けているものにおいて、前記リード線が、前記封止部に沿って前記副反射鏡の近傍まで引き戻されていることを特徴とする請求項１記載の照明装置。
【請求項４】
前記楕円型反射鏡の反射有効領域先端より前方に向かって引き出されるリード線が、前記楕円型反射鏡の先端部又はその周辺に向かって引き出されていることを特徴とする請求項１乃至３のいずれかに記載の照明装置。
【請求項５】
前記発光ランプを固定した前記楕円型反射鏡を取付ける筐体を備え、前記楕円型反射鏡の反射有効領域先端より前方に向かって引き出されるリード線が、前記楕円型反射鏡の先端部又は該先端部周辺の前記筐体に向かって引き出されていることを特徴とする請求項１乃至３のいずれかに記載の照明装置。
【請求項６】
照明装置からの照明光を光変調装置に入射し画像を生成してその画像を投写するプロジェクタにおいて、前記照明装置として、請求項１乃至５のいずれかに記載の照明装置を備えたことを特徴とするプロジェクタ。
【発明の詳細な説明】
【技術分野】
【０００１】
本発明は、照明装置及びその照明装置を備えたプロジェクに関する。
【背景技術】
【０００２】
発光用電極が内蔵されたバルブ部とそのバルブの両側に該バルブ部と一体に形成され発光用電極につながる導体が配設された封止部を有する発光ランプを、反射鏡と組み合わせた照明装置が従来から利用されている。そして、その発光ランプの電極方向及び軸方向を楕円型反射鏡の光軸上に配置した照明装置の場合、楕円型反射鏡の反射側に位置する封止部の導体に電力を供給するリード線は、従来、該封止部の先端部から楕円型反射鏡の集光点の近傍を横切って、該反射鏡の反射領域外に引き出されるように配線されていた（例えば、特許文献１）。
【特許文献１】特開平１１−６５００２号公報（第７ページ、図１）
【発明の開示】
【発明が解決しようとする課題】
【０００３】
しかし、このリード線を、楕円型反射鏡の集光点の近傍を横切って楕円型反射鏡の反射領域外に引き出す配線とすると、リード線の径が楕円型反射鏡の反射光束断面に対して相対的に大きいため、楕円型反射鏡からの射出光を多く遮ることになっていた。
本発明は上記課題に鑑みてなされたもので、楕円型反射鏡の反射側にある封止部の導体に電力を供給するリード線に起因する照明光の遮断量をより少なくする照明装置、並びにそれを備えたプロジェクタを提供することを目的とする。
【課題を解決するための手段】
【０００４】
本発明の照明装置は、発光用電極が内蔵されたバルブ部及び該バルブ部の両側に該バルブ部と一体に形成され前記電極につながる導体が配設された封止部を有する発光ランプと、前記発光ランプからの光を一方方向に反射する楕円型反射鏡とを備え、前記楕円型反射鏡の光軸上に前記発光ランプが固定され前記封止部の片側の先端が前記楕円型反射鏡の反射面側に位置してなる照明装置において、前記封止部の片側の前記導体に電力を供給するリード線が、前記封止部の片側の先端部から該封止部に沿って前記バルブ部側へ引き戻され、さらにその引き戻された位置から前記楕円型反射鏡の反射有効領域先端より前方に向かって引き出されて配線されていることを特徴とする。
この照明装置の場合、楕円型反射鏡からの反射光束断面に対するリード線の径が、リード線を楕円型反射鏡の集光点の近傍を横切って反射領域外へ直接引き出した場合に比べて相対的に小さくなり、楕円型反射鏡からの反射光の遮断量がより少なくなる。
【０００５】
なお、上記照明装置において、前記リード線が、前記封止部に沿って前記バルブ部近傍まで引き戻されていることが好ましい。この場合には、リード線の相対的な径がさらに小さくなり、リード線に起因する楕円型反射鏡からの反射光の遮断量がさらに少なくなるからである。
【０００６】
また、上記照明装置において、前記発光ランプが前記バルブ部から射出された光を再度バルブ部に戻す副反射鏡を前記封止部の片側に取付けているものにおいて、前記リード線が、前記封止部に沿って前記副反射鏡の近傍まで引き戻されていることを特徴とする。この場合にも、楕円型反射鏡からの反射光束断面に対するリード線の径が、リード線を楕円型反射鏡の集光点の近傍を横切って反射領域外へ直接引き出した場合に比べて相対的に小さくなり、楕円型反射鏡からの反射光の遮断量がより少なくなる。
【０００７】
また、上記照明装置において、前記楕円型反射鏡の反射有効領域先端より前方に向かって引き出されるリード線が、前記楕円型反射鏡の先端部又はその周辺に向かって引き出されていることを特徴とする。このようにすることで、前述した楕円型反射鏡から反射された光の遮断量の減少が確実に担保される。
【０００８】
さらに、上記照明装置において、前記発光ランプを固定した前記楕円型反射鏡を取付ける筐体を備え、前記楕円型反射鏡の反射有効領域先端より前方に向かって引き出されるリード線が、前記楕円型反射鏡の先端部又は該先端部周辺の前記筐体に向かって引き出されていることを特徴とする。このようにしても、前述した楕円型反射鏡から反射された光の遮断量の減少が担保される。
【０００９】
本発明のプロジェクタは、照明装置からの照明光を光変調装置に入射し画像を生成してその画像を投写するプロジェクタにおいて、前記照明装置として、上記いずれかの照明装置を備えたことを特徴とする。これにより、プロジェクタの照明効率が向上して画像の輝度が向上する。
【発明を実施するための最良の形態】
【００１０】
実施形態１
以下、図を参照しながら本発明の実施形態を説明する。なお、以下の各図中において、同一符号は同一物又は相当物を示すものとする。図１は本発明の実施形態１に係る照明装置１００の構成図である。発光ランプ１０は、一対の放電用電極１が内蔵された略球状のバルブ部２を有する。そして、そのバルブ部２の両側にバルブ部２と一体になっていて、そのバルブ部２から連続して左右側に延設された封止部３を備える。バルブ部２と封止部３とは石英ガラスなどの透明材料により一体的に成形されている。封止部３の内部には、それぞれの電極１につながる導体４が配設されており、封止部３の端部からはそれら導体４とつながるリード線６が外部に伸びている。なお、図１に示すように、導体４とリード線６との間にリード端子５などを設けてもよい。このような発光ランプ１０としては、例えば、水銀ランプ、キセノンランプ、メタルハロイドランプなどが挙げられる。
【００１１】
楕円型反射鏡２０は、回転楕円面形状をなす基板の内側面に反射膜を成膜し反射面としたものであり、その有効な反射膜域を反射有効領域という。本発明の実施形態１に係る照明装置１００は、この楕円型反射鏡２０に発光ランプ１０を組み付けてなるものである。楕円型反射鏡２０と発光ランプ１０とは、例えば、次のようにして組み付けられている。すなわち、楕円型反射鏡２０の光軸中心と発光ランプ１０の軸方向中心を一致させ、且つ、楕円型反射鏡２０の第一焦点に発光ランプ１０の一対の電極１の中心を位置させるようにして、発光ランプ１０を楕円型反射鏡２０の底部中心の穴２１に挿入し、接着剤２２を利用して楕円型反射鏡２０と発光ランプ１０とを固定する。この照明装置１００の光照射領域を参考のため斜線で表示する。なお、図中の２０ａはこの楕円型反射鏡２０の反射有効領域の先端を示す。
【００１２】
楕円型反射鏡２０の反射面側に位置する発光ランプ１０の封止部３の先端にあるリード端子５から出るリード線６は、封止部３に沿って一旦バルブ部２側に向い、封止部３の先端とバルブ部２の間の途中位置から、楕円型反射鏡２０の反射有効領域先端２０ａより前方（又は先方）に向かって、すなわち図中の６Ａまたは６Ｂに示すように引き出されて配線される。この場合、例えば６Ａとして示したようにリード線６をできるだけバルブ部２の近傍まで引き戻して、その位置から楕円型反射鏡２０の反射有効領域先端２０ａより前方に向かって引き出す配線とすると、楕円型反射鏡２０からの反射光束断面に対するリード線６の径を相対的により小さくできる。なお、封止部３側から楕円型反射鏡２０の反射有効領域先端２０ａより前方に向かうリード線６は、楕円型反射鏡２０の反射有効領域先端２０ａの近傍、楕円型反射鏡２０の先端部又はその周辺に向かって引き出すのが好ましい。図１では、楕円型反射鏡２０の先端部にリード線６を支持または貫通させるリード線引出ガイド２３を設け、そのリード線引出ガイド２３に向けて封止部３側からリード線６を引き出している。
【００１３】
実施形態２
図２は本発明の実施形態２に係る照明装置１００Ａの構成図である。ここで用いられる副反射鏡７付き発光ランプ１０Ａは、発光ランプ１０に対して、そのバルブ部２から射出された光を再度バルブ部２に戻す副反射鏡（又は第二反射鏡）７を、楕円型反射鏡２０と反射面を対向させて封止部３の片側のバルブ部２の近傍に取付けたものであり、その他の点では発光ランプ１０と同じものである。副反射鏡７は高熱に晒されるため、高い耐熱性を有する石英、結晶化ガラスや透光性アルミナを用いて作られる。
【００１４】
楕円型反射鏡２０は、回転楕円面形状をなす基板の内側面に反射膜を成膜し反射面としたものであるが、バルブ部２の近傍に副反射鏡７が設けられているため、その分楕円型反射鏡２０の反射有効領域を小さくできる。本発明の実施形態２に係る照明装置１００Ａは、この楕円型反射鏡２０と発光ランプ１０Ａとを、図１の場合と同様の方法で組み付けてなるものである。この照明装置１００Ａの光照射領域を参考のため斜線で表示する。なお、図中の２０ｂはこの楕円型反射鏡２０の反射有効領域の先端を示している。また、バルブ部２から射出された後、副反射鏡７によってバルブ部２に戻される光の大部分もこの斜線内に入って利用に供される。
【００１５】
楕円型反射鏡２０の反射面側に位置する発光ランプ１０Ａの封止部３の先端にあるリード端子５から出るリード線６は、封止部３に沿って一旦バルブ部２側に向い、封止部３の先端部とバルブ部２の間の途中位置から、楕円型反射鏡２０の反射有効領域先端２０ｂより前方（又は先方）に向かって、すなわち図中の６Ａまたは６Ｂに示すように引き出されて配線される。この場合、例えば６Ａとして示したようにリード線６をできるだけ副反射鏡７の近傍まで引き戻して、その位置から楕円型反射鏡２０の反射有効領域先端２０ｂより前方に向かって引き出す配線とすると、楕円型反射鏡２０からの反射光束断面に対するリード線６の径を相対的により小さくできる。なお、封止部３側から楕円型反射鏡２０の反射有効領域先端２０ｂより前方に向かうリード線６は、楕円型反射鏡２０の反射有効領域先端２０ｂの近傍、楕円型反射鏡２０の先端部又はその周辺に向かって引き出すのが好ましい。図２では、楕円型反射鏡２０の先端部にリード線６を支持または貫通させるリード線引出ガイド２３を設け、そのリード線引出ガイド２３に向けて封止部３側からリード線６を引き出している。
【００１６】
実施形態３
次に、実施形態１又実施形態２で説明したような照明装置を、更に筐体などに取付けた場合におけるその筐体部分でのリード線の配線例を説明する。図３は本発明の実施形態３に係る照明装置１００Ｂの側断面図、そして図４〜図６がその照明装置１００Ｂにおけるリード線６の配線例を示す平面断面図である。ここでの照明装置１００Ｂは、発光ランプ１０Ａが固定された楕円型反射鏡２０と、その楕円型反射鏡２０を取付けて固定する筐体３０まで含めたものである。
【００１７】
図３に示すように、筐体３０は、発光ランプ１０Ａが固定された楕円型反射鏡２０の先端部周囲を保持して固定する立面部と、該立面部を支持しかつ照明装置１００Ｂをそれが組み込まれる装置自体に固定するための台座部とを備えている。楕円型反射鏡２０は立面部の外周部３１によって保持固定されており、立面部の中央部には楕円型反射鏡２０からの反射光を通す開口３２が形成されている。
【００１８】
リード線の配線例その１
図４はリード線６の配線例その１を示す図３の平面断面図である。ここでは、楕円型反射鏡２０の反射面側に先端が位置している封止部３のリード線６を、封止部３の先端にあるリード端子５からその封止部３に沿って副反射鏡７の取付部付近まで戻し、その位置から楕円型反射鏡２０の反射有効領域先端（図示せず）よりさらに先端側（又は前方側）に設けたリード線引出孔２４に向かって引き出している。そして、ここでは、さらにそのリード線６を、例えば、楕円型反射鏡２０の背面に取付けたリード端子２５に接続させ、そのリード端子２５を外部機器と接続のために筐体３０に設けた端子台３４に被覆ケーブル３３を介して接続している。また、楕円型反射鏡２０の反射面と反対側に先端が位置している封止部３に対応するリード線６も、同様にこの端子台３４に被覆ケーブル３３を利用して接続している。さらに、この例では、図示するように、発光ランプ１０Ａの放電開始をより容易にする補助電極としてのトリガ線８を、リード端子５から一方の封止部３及びバルブ部２を越えて、他方の封止部３とバルブ部２の境界付近にまで延長させている。
【００１９】
リード線の配線例その２
図５はリード線６の配線例その２を示す図３の平面断面図である。ここでは、楕円型反射鏡２０の反射面側に先端が位置している封止部３のリード線６を、封止部３の先端にあるリード端子５からその封止部３に沿って副反射鏡７の取付部付近まで戻し、その位置から楕円型反射鏡２０の反射有効領域先端（図示せず）よりさらに先端側（又は前方側）にあって楕円型反射鏡２０の先端と隣接してしている筐体立面部の外周部３１に向かって引き出している。そして、ここでは、さらにそのリード線６を、例えば、その外周部３１を経由し、被覆ケーブル３３を介して外部機器と接続のために筐体３０に設けた端子台３４に接続している。また、楕円型反射鏡２０の反射面と反対側に先端が位置している封止部３に対応するリード線６も、同様にこの端子台３４に被覆ケーブル３３を利用して接続している。そして、この場合にも、発光ランプ１０Ａの放電開始をより容易にする補助電極としてのトリガ線８を、リード端子５から一方の封止部３及びバルブ部２を越えて、他方の封止部３とバルブ部２の境界付近にまで延長させている。
【００２０】
リード線の配線例その３
図６はリード線６の配線例その３を示す図３の平面断面図である。ここでは、楕円型反射鏡２０の反射面側に先端が位置している側の封止部３のリード線６を、封止部３の先端にあるリード端子５からその封止部３に沿って筐体３０立面部の先端面対応部付近までまで戻し、その位置から楕円型反射鏡２０の反射有効領域先端（図示せず）よりさらに先端側（前方側）にある筐体立面部の外周部３１に向かって引き出している。そして、ここでは、さらにそのリード線６を、例えば、その外周部３１に設けたリード端子２５に接続した後、外部機器と接続のために筐体３０に設けた端子台３４に被覆ケーブル３３を介して接続している。また、楕円型反射鏡２０の反射面と反対側に先端が位置している封止部３に対応するリード線６も同様にこの端子台３４に被覆ケーブル３３で接続している。なお、トリガ線８については、図４、図５と同様である。
【００２１】
以上の構成による照明装置１００Ｂは、実施形態２で説明したとほぼ同様の照明効果を奏する。すなわち、バルブ部２の副反射鏡７でカバーされていない領域からの出射光は、楕円型反射鏡２０により反射されて照明装置１００Ｂの前方に向かう。また、バルブ部２の副反射鏡７でカバーされている領域からの出射光は、副反射鏡７により反射されて再度バルブ部２に戻り、そこから楕円型反射鏡２０に入射して反射され、照明装置１００Ｂの前方に向かう。その際、楕円型反射鏡２０の反射光束断面に対するリード線６の径が従来に比べて相対的に小さくなるため、その反射光のリード線６による遮断量が少なくなって、照明効率が向上する。
【００２２】
ところで、実施形態３では、副反射鏡７を備えた発光ランプ１０Ａ、楕円型反射鏡２０、筐体３０を用いて構成した実施形態２に対応する照明装置の取付け筐体部でのリード線の配線を説明した。しかしながら、副反射鏡７なしの発光ランプ１０、楕円型反射鏡２０、筐体３０などを用いて構成した実施形態１に対応する照明装置を利用した場合にも、筐体部でのリード線の配線については、図４、図５又は図６のような構成とすることができる。
【００２３】
また、図７は防爆構造を備えた実施形態３に係る照明装置の側断面図である。ここでは、楕円型反射鏡２０の前面部に防爆構造物４０を配し、防爆構造物４０の光出口には楕円型反射鏡２０からの反射光を平行化する凹レンズ５０を配している。そして、これらの楕円型反射鏡２０、防爆構造物４０及び凹レンズ５０で発光ランプ１０Ａに対する防爆構造を形成している。なお、この防爆構造は、完全な密閉構造とせずに、冷却風を通すためのメッシュ付き開口４１などを設けて、内部を冷却する構造としても良い。図８は図７の照明装置のリード線６の配線例を示す平面断面図であり、ここでは図６に示した配線を適用して、楕円型反射鏡２０と防爆構造物４０との間に設けた隙間または孔からリード線６を外部に引き出している。さらに、図９は別の防爆構造を備えた実施形態３に係る照明装置の側断面図、図１０は図９の照明装置のリード線６の配線例を示す平面断面図である。なお、図９、図１０の構成は、防爆構造を構成する凹レンズ５０を平板ガラス６０に代えた点を除いて、図７、図８の構成と同じである。
【００２４】
以上の実施形態１乃至３の照明装置１００，１００Ａ，１００Ｂは、各種機器の照明装置として利用することができる。以下では、それらをプロジェクタに利用する例を説明する。図１１は照明装置１００Ｂを備えたプロジェクタの構成図である。この光学系は、副反射鏡である第二反射鏡７を有した発光ランプ１０Ａ及び楕円型反射鏡である第一反射鏡２０を備えてなる照明装置１００Ｂと、照明装置１００Ｂからの出射光を所定の光に調整する手段とを備えた照明光学系３００と、ダイクロイックミラー３８２，３８６、反射ミラー３８４等を有する色光分離光学系３８０と、入射側レンズ３９２、リレーレンズ３９６、反射ミラー３９４，３９８を有するリレー光学系３９０と、各色光に対応するフィールドレンズ４００，４０２，４０４及び光変調装置としての液晶パネル４１０Ｒ，４１０Ｇ，４１０Ｂと、色光合成光学系であるクロスダイクロイックプリズム４２０と、投写レンズ６００とを備えている。
【００２５】
次に、上記構成のプロジェクタの作用を説明する。まず、発光ランプ１０Ａのバルブ部２の中心より後側からの出射光は、第一反射鏡２０により反射されて照明装置１００Ｂの前方に向かう。また、バルブ部２の中心より前側からの出射光は、第二反射鏡７により反射されて第一反射鏡２０に戻った後、第一反射鏡２０により反射されて照明装置１００Ｂの前方に向かう。
【００２６】
照明装置１００Ｂを出た光は凹レンズ２００に入り、そこで光の進行方向が照明光学系３００の光軸１とほぼ平行に調整された後、インテグレータレンズを構成する第１レンズアレイ３２０の各小レンズ３２１に入射する。第１レンズアレイ３２０は、入射光を小レンズ３２１の数に応じた複数の部分光束に分割する。第１レンズアレイ３２０を出た各部分光束は、その各小レンズ３２１にそれぞれ対応した小レンズ３４１を有してなるインテグレータレンズを構成する第２レンズアレイ３４０に入射する。そして、第２レンズアレイ３４０からの出射光は、偏光変換素子アレイ３６０の対応する偏光分離膜（図示省略）の近傍に集光される。その際、遮光板（図示省略）により、偏光変換素子アレイ３６０への入射光のうち、偏光分離膜に対応する部分にのみ光が入射するように調整される。
【００２７】
偏光変換素子アレイ３６０では、そこに入射した光束が同じ種類の直線偏光に変換される。そして、偏光変換素子アレイ３６０で偏光方向が揃えられた複数の部分光束は重畳レンズ３７０に入り、そこで液晶パネル４１０Ｒ，４１０Ｇ，４１０Ｂを照射する各部分光束が、対応するパネル面上で重さなり合うように調整される。
【００２８】
色光分離光学系３８０は、第１及び第２ダイクロイックミラー３８２，３８６を備え、照明光学系から射出される光を、赤、緑、青の３色の色光に分離する機能を有している。第１ダイクロイックミラー３８２は、重畳レンズ３７０から射出される光のうち赤色光成分を透過させるとともに、青色光成分と緑色光成分とを反射する。第１ダイクロイックミラー３８２を透過した赤色光は、反射ミラー３８４で反射され、フィールドレンズ４００を通って赤色光用の液晶パネル４１０Ｒに達する。このフィールドレンズ４００は、重畳レンズ３７０から射出された各部分光束をその中心軸（主光線）に対して平行な光束に変換する。他の液晶パネル４１０Ｇ，４１０Ｂの前に設けられたフィールドレンズ４０２，４０４も同様に作用する。
【００２９】
さらに、第１ダイクロイックミラー３８２で反射された青色光と緑色光のうち、緑色光は第２ダイクロイックミラー３８６によって反射され、フィールドレンズ４０２を通って緑色光用の液晶パネル４１０Ｇに達する。一方、青色光は、第２ダイクロイックミラー３８６を透過し、リレー光学系３９０、すなわち、入射側レンズ３９２、反射ミラー３９４、リレーレンズ３９６、及び反射ミラー３９８を通り、さらにフィールドレンズ４０４を通って青色光用の液晶パネル４１０Ｂに達する。なお、青色光にリレー光学系３９０が用いられているのは、青色光の光路長が他の色光の光路長よりも長いため、光の発散等による光の利用効率の低下を防止するためである。すなわち、入射側レンズ３９２に入射した部分光束をそのまま、フィールドレンズ４０４に伝えるためである。なお、リレー光学系３９０は、３つの色光のうちの青色光を通す構成としたが、赤色光等の他の色光を通す構成としてもよい。
【００３０】
３つの液晶パネル４１０Ｒ，４１０Ｇ，４１０Ｂは、入射した各色光を、与えられた映像情報に従って変調し、各色光の画像を形成する。なお、３つの液晶パネル４１０Ｒ，４１０Ｇ，４１０Ｂの光入射面側、光出射面側には、通常、偏光板が設けられている。
【００３１】
上記の各液晶パネル４１０Ｒ，４１０Ｇ，４１０Ｂから射出された３色の変調光は、これらの変調光を合成してカラー画像を形成する色光合成光学系としての機能を有するクロスダイクロイックプリズム４２０に入る。クロスダイクロイックプリズム４２０には、赤色光を反射する誘電体多層膜と、青色光を反射する誘電体多層膜とが、４つの直角プリズムの界面に略Ｘ字状に形成されている。これらの誘電体多層膜によって赤、緑、青の３色の変調光が合成されて、カラー画像を投写するための合成光が形成される。そして、クロスダイクロイックプリズム４２０で合成された合成光は、最後に投写レンズ６００に入り、そこからスクリーン上にカラー画像として投写表示される。
【００３２】
上記プロジェクタによれば、照明装置１００Ｂにより照明光利用率が改善されるため、投写画像の輝度が向上する。
【産業上の利用可能性】
【００３３】
本発明の照明装置は、プロジェクタなどの各種光学装置に組み込まれる照明装置として利用できる。
【図面の簡単な説明】
【００３４】
【図１】本発明の実施形態１に係る照明装置の構成図。
【図２】本発明の実施形態２に係る照明装置の構成図。
【図３】本発明の実施形態３に係る照明装置の側断面図。
【図４】リード線の配線例その１を示す図３の平面断面図。
【図５】リード線の配線例その２を示す図３の平面断面図。
【図６】リード線の配線例その３を示す図３の平面断面図。
【図７】防爆構造を備えた実施形態３に係る照明装置の側断面図。
【図８】図７の照明装置のリード線の配線例を示す平面断面図。
【図９】別の防爆構造を備えた実施形態３に係る照明装置の側断面図。
【図１０】図９の照明装置のリード線の配線例を示す平面断面図。
【図１１】本発明の照明装置を備えたプロジェクタの光学系を示す構成図。
【符号の説明】
【００３５】
１…電極、２…バルブ部、３…封止部、４…導体、５…リード端子、６，６Ａ，６Ｂ…リード線、７…副反射鏡（第二反射鏡）、８…トリガ線、１０…発光ランプ、１０Ａ…副反射鏡付き発光ランプ、２０…楕円型反射鏡（第一反射鏡）、２０ａ，２０ｂ…反射有効領域先端、２３…リード線引出ガイド、２４…リード線引出孔、２５…リード端子、３０…筐体、３１…保持部、３２…開口部、３３…被覆ケーブル、３４…端子台、４０…防爆構造物、５０…凹レンズ、６０…平板ガラス、１００，１００Ａ，１００Ｂ…照明装置。
【図１】
2005093174.tif 000003
【図２】
2005093174.tif 000004
【図３】
2005093174.tif 000005
【図４】
2005093174.tif 000006
【図５】
2005093174.tif 000007
【図６】
2005093174.tif 000008
【図７】
2005093174.tif 000009
【図８】
2005093174.tif 000010
【図９】
2005093174.tif 000011
【図１０】
2005093174.tif 000012
【図１１】
2005093174.tif 000013